(57)【要約】【課題】動画像を示す画像データによるプリント出力の指示を正確かつ容易に行なうことのできる撮像装置、再生装置、プリンタ及びプリントシステムを得る。【解決手段】映像データ１４Ａにより示される動画像を構成する複数の静止画像におけるプリント出力を行う静止画像を指定するための指定情報（デジタルカメラで構成された撮像装置１２のレリーズボタンの全押し操作を示す情報）を入力し、当該指定情報により指定された静止画像を特定できるフレーム番号の含まれた付帯データ１４Ｂを映像データ１４Ａに関連付けて動画像ファイル１４として用いる。【選択図】　　　　図１
2004128679.tif 000002
【特許請求の範囲】
【請求項１】
動画像を撮像して当該動画像を示す画像データを出力する撮像手段と、
前記画像データを記録媒体に記録する画像データ記録手段と、
前記画像データにより示される動画像を構成する複数の静止画像におけるプリント出力を行う静止画像を指定するための指定情報を入力する指定情報入力手段と、
前記指定情報入力手段により入力された指定情報により指定された静止画像を特定できる特定情報の含まれたプリント指示情報を前記画像データに関連付けて記録媒体に記録するプリント指示情報記録手段と、
を備えた撮像装置。
【請求項２】
前記画像データにより示される動画像を表示するための表示手段を更に備えた請求項１記載の撮像装置。
【請求項３】
前記動画像の表示速度の変更を指示するための変更指示情報を入力する変更指示情報入力手段と、
前記変更指示情報入力手段により入力された変更指示情報に応じて前記動画像の表示速度を変更する速度変更手段と、
を更に備えた請求項２記載の撮像装置。
【請求項４】
前記指定情報入力手段は、前記プリント出力を行う静止画像の出力サイズを示す出力サイズ情報及び出力枚数を示す出力枚数情報の少なくとも一方を更に入力し、
前記プリント指示情報記録手段は、前記指定情報入力手段により入力された前記出力サイズ情報及び前記出力枚数情報の少なくとも一方を、対応する静止画像を特定できる前記特定情報に関連付けた状態で前記プリント指示情報に含めて記録媒体に記録する
請求項１乃至請求項３の何れか１項記載の撮像装置。
【請求項５】
動画像を示す画像データ、及び当該画像データにより示される動画像を構成する複数の静止画像におけるプリント出力を行う静止画像を特定できる特定情報が含まれたプリント指示情報を入力する入力手段と、
前記画像データにより示される動画像を再生する再生手段と、
前記入力手段により入力された前記プリント指示情報を編集するための編集情報を入力する編集情報入力手段と、
前記編集情報入力手段により入力された編集情報に応じて前記プリント指示情報を編集する編集手段と、
を備えた再生装置。
【請求項６】
前記編集手段によるプリント指示情報の編集を、前記プリント指示情報への新規情報の追加、前記プリント指示情報の新規情報への置換え、前記プリント指示情報の記録内容の更新、及び前記プリント指示情報の消去、の少なくとも１つの編集とした
請求項５記載の再生装置。
【請求項７】
前記再生手段は、前記画像データにより示される動画像を動画再生するか、又は当該動画像を構成する複数の静止画像を個別に再生する
請求項５又は請求項６記載の再生装置。
【請求項８】
前記再生手段により前記動画像を動画再生する場合に前記動画再生の再生速度の変更を指示するための再生速度変更指示情報を入力する再生速度指示入力手段と、
前記再生速度指示入力手段により入力された再生速度変更指示情報に応じて前記動画再生の再生速度を変更する再生速度変更手段と、
を更に備えた請求項７記載の再生装置。
【請求項９】
前記プリント指示情報は、前記特定情報により特定される静止画像の出力サイズ情報及び出力枚数情報の少なくとも一方を更に含む
請求項５乃至請求項８の何れか１項記載の再生装置。
【請求項１０】
動画像を示す画像データ、及び当該画像データにより示される動画像を構成する複数の静止画像におけるプリント出力を行う静止画像を特定できる特定情報が含まれたプリント指示情報を入力する情報入力手段と、
前記画像データにより示される動画像を構成する静止画像をプリント出力するためのプリント出力手段と、
前記情報入力手段により入力されたプリント指示情報に含まれる特定情報によって特定される静止画像をプリント出力するように前記プリント出力手段を制御するプリント制御手段と、
を備えたプリンタ。
【請求項１１】
前記プリント指示情報は、前記特定情報により特定される静止画像の出力サイズ情報及び出力枚数情報の少なくとも一方を更に含み、
前記プリント制御手段は、前記プリント指示情報に含まれる特定情報によって特定される静止画像を、当該特定情報に対応する前記出力サイズ情報及び前記出力枚数情報の少なくとも一方に応じてプリント出力するように前記プリント出力手段を制御する
請求項１０記載のプリンタ。
【請求項１２】
請求項１０又は請求項１１に記載のプリンタと、
前記プリンタによるプリント出力の依頼を受注する受注手段と、
前記受注手段により受注されたプリント出力の依頼に応じた前記プリンタによるプリント出力に対する対価を当該プリント出力の依頼元に要求する要求手段と、
を備えたプリントシステム。
【発明の詳細な説明】
【０００１】
【発明の属する技術分野】
本発明は、撮像装置、再生装置、プリンタ及びプリントシステムに係り、特に、動画像を示す画像データから所望のシーンのみプリント出力するサービスに適用される撮像装置、再生装置、プリンタ及びプリントシステムに関する。
【０００２】
【従来の技術】
近年、ＣＣＤ（Ｃｈａｒｇｅ　Ｃｏｕｐｌｅｄ　Ｄｅｖｉｃｅ、電荷結合素子）、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージ・センサ等の撮像素子の高解像度化に伴い、デジタル・スチル・カメラの需要が急増している。また、この種のデジタル・スチル・カメラには、静止画像の撮影の他、動画像の撮影が行えるものも多数製品化されている。
【０００３】
ところで、この種のデジタル・スチル・カメラで撮影された静止画像については、当該画像を印画紙にプリントするサービスが従来から行われており、この種のサービスに関する技術として、デジタル技術を利用したプリント注文を容易とするために、プリントする画像を示す画像データを記録した記録媒体に当該プリントに関する注文情報をファイルとして付与する技術や、当該技術に適した注文情報の記述方法等が提案されている（例えば、特許文献１及び特許文献２参照。）。
【０００４】
一方、上記のようにデジタル・スチル・カメラで動画撮影を行うことが一般的になりつつある中で、撮影によって得られた動画像を示す画像ファイルからも、指定したシーンをプリントするサービスが求められている。
【０００５】
【特許文献１】
特開平１０−２８３４０４号公報
【特許文献２】
特開平１０−２１４２９５号公報
【０００６】
【発明が解決しようとする課題】
しかしながら、上記特許文献１及び特許文献２の技術では、静止画像のみが取り扱い対象として想定されているため、動画像を示す画像データによるプリント出力の指示を正確かつ容易に行なうことが困難である、という問題点があった。
【０００７】
このため、動画像を対象としたプリントサービスを効率的に行うことが難しく、この結果、料金が高くなったり、当該サービスの普及の妨げになることが予想される。
【０００８】
本発明は上記問題点を解消するためになされたものであり、動画像を示す画像データによるプリント出力の指示を正確かつ容易に行なうことのできる撮像装置、再生装置、プリンタ及びプリントシステムを提供することを目的とする。
【０００９】
【課題を解決するための手段】
上記目的を達成するために、請求項１記載の撮像装置は、動画像を撮像して当該動画像を示す画像データを出力する撮像手段と、前記画像データを記録媒体に記録する画像データ記録手段と、前記画像データにより示される動画像を構成する複数の静止画像におけるプリント出力を行う静止画像を指定するための指定情報を入力する指定情報入力手段と、前記指定情報入力手段により入力された指定情報により指定された静止画像を特定できる特定情報の含まれたプリント指示情報を前記画像データに関連付けて記録媒体に記録するプリント指示情報記録手段と、を備えている。
【００１０】
請求項１記載の撮像装置によれば、撮像手段によって動画像が撮像されて当該動画像を示す画像データが出力され、当該画像データが画像データ記録手段により記録媒体に記録される。なお、上記撮像手段には、ＣＣＤ、ＣＭＯＳイメージ・センサ等の固体撮像素子を含めることができる。また、上記記録媒体には、スマートメディア（Ｓｍａｒｔ　Ｍｅｄｉａ（Ｒ））、コンパクト・フラッシュ、ＡＴＡ（ＡＴ　Ａｔｔａｃｈｍｅｎｔ）カード、フロッピィディスク、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−ＲｅＷｒｉｔａｂｌｅ）、光磁気ディスク、マイクロドライブ等のあらゆる可搬型の記録媒体が含まれる。
【００１１】
ここで、請求項１記載の発明では、上記画像データにより示される動画像を構成する複数の静止画像におけるプリント出力を行う静止画像を指定するための指定情報が指定情報入力手段によって入力され、入力された指定情報により指定された静止画像を特定できる特定情報の含まれたプリント指示情報がプリント指示情報記録手段によって上記画像データに関連付けられて記録媒体に記録される。従って、記録媒体に記録されたプリント指示情報に含まれる特定情報を参照することによって、プリント出力することが指定されたシーンの画像（静止画像）を正確かつ容易に把握することができる。
【００１２】
すなわち、本発明では、動画像が複数の静止画像により構成される点に着目し、指定情報により指定されたプリント出力すべき静止画像を特定情報によって特定するものとしており、この結果としてプリント出力したい静止画像を指定するのみにより、動画像を示す画像データによるプリント出力の指示を正確かつ容易に行なうことができるようにしている。なお、上記特定情報としては、動画像を構成する複数の静止画像の時間的な先頭画像を先頭番号とし、以降の画像に対して当該先頭番号の次から時系列順に番号を割り振ったフレーム番号等の、動画像を構成する複数の静止画像の各々を個別に特定できる情報であれば如何なるものでも適用することができる。
【００１３】
このように、請求項１に記載の撮像装置によれば、画像データにより示される動画像を構成する複数の静止画像におけるプリント出力を行う静止画像を指定するための指定情報を入力し、当該指定情報により指定された静止画像を特定できる特定情報の含まれたプリント指示情報を上記画像データに関連付けて記録媒体に記録しているので、動画像を示す画像データによるプリント出力の指示を正確かつ容易に行なうことができる。
【００１４】
また、請求項２記載の撮像装置は、請求項１記載の発明において、前記画像データにより示される動画像を表示するための表示手段を更に備えたものである。
【００１５】
請求項２記載の撮像装置によれば、画像データにより示される動画像が表示手段によって表示される。なお、上記表示手段には、液晶ディスプレイ、有機ＥＬディスプレイ、プラズマディスプレイ、ＣＲＴディスプレイ等のディスプレイが含まれる。
【００１６】
このように、請求項２に記載の撮像装置によれば、画像データにより示される動画像を表示するための表示手段を備えているので、表示手段に当該動画像を表示した状態でプリント出力を行う静止画像を指定することができ、より正確かつ容易に動画像を示す画像データによるプリント出力の指示を行なうことができる。
【００１７】
また、請求項３記載の撮像装置は、請求項２記載の発明において、前記動画像の表示速度の変更を指示するための変更指示情報を入力する変更指示情報入力手段と、前記変更指示情報入力手段により入力された変更指示情報に応じて前記動画像の表示速度を変更する速度変更手段と、を更に備えたものである。
【００１８】
請求項３記載の撮像装置によれば、本発明の動画像の表示速度の変更を指示するための変更指示情報が変更指示情報入力手段によって入力され、当該変更指示情報に応じて上記動画像の表示速度が速度変更手段によって変更される。
【００１９】
このように、請求項３に記載の撮像装置によれば、請求項２記載の発明と同様の効果を奏することができると共に、動画像の表示速度の変更を指示するための変更指示情報を入力し、当該変更指示情報に応じて動画像の表示速度を変更しているので、表示速度を遅くした場合には、プリント出力したい静止画像を、それまでより容易に選別でき、表示速度を速くした場合には、プリント出力したい静止画像の指定を、それまでより短時間で行うことができる。
【００２０】
更に、請求項４記載の撮像装置は、請求項１乃至請求項３の何れか１項記載の発明において、前記指定情報入力手段は、前記プリント出力を行う静止画像の出力サイズを示す出力サイズ情報及び出力枚数を示す出力枚数情報の少なくとも一方を更に入力し、前記プリント指示情報記録手段は、前記指定情報入力手段により入力された前記出力サイズ情報及び前記出力枚数情報の少なくとも一方を、対応する静止画像を特定できる前記特定情報に関連付けた状態で前記プリント指示情報に含めて記録媒体に記録するものである。
【００２１】
請求項４記載の撮像装置によれば、指定情報入力手段により、プリント出力を行う静止画像の出力サイズを示す出力サイズ情報及び出力枚数を示す出力枚数情報の少なくとも一方が更に入力され、プリント指示情報記録手段により、上記指定情報入力手段により入力された出力サイズ情報及び出力枚数情報の少なくとも一方が、対応する静止画像を特定できる特定情報に関連付けられた状態で上記プリント指示情報に含められて記録媒体に記録される。
【００２２】
このように、請求項４に記載の撮像装置によれば、請求項１乃至請求項３の何れか１項記載の発明と同様の効果を奏することができると共に、プリント出力を行う静止画像の出力サイズを示す出力サイズ情報及び出力枚数を示す出力枚数情報の少なくとも一方を更に入力し、入力した出力サイズ情報及び出力枚数情報の少なくとも一方を、対応する静止画像を特定できる特定情報に関連付けた状態でプリント指示情報に含めて記録媒体に記録しているので、入力した出力サイズ情報及び出力枚数情報の少なくとも一方に応じたプリント出力を実現することができる。
【００２３】
一方、上記目的を達成するために、請求項５記載の再生装置は、動画像を示す画像データ、及び当該画像データにより示される動画像を構成する複数の静止画像におけるプリント出力を行う静止画像を特定できる特定情報が含まれたプリント指示情報を入力する入力手段と、前記画像データにより示される動画像を再生する再生手段と、前記入力手段により入力された前記プリント指示情報を編集するための編集情報を入力する編集情報入力手段と、前記編集情報入力手段により入力された編集情報に応じて前記プリント指示情報を編集する編集手段と、を備えている。
【００２４】
請求項５記載の再生装置によれば、動画像を示す画像データ、及び当該画像データにより示される動画像を構成する複数の静止画像におけるプリント出力を行う静止画像を特定できる特定情報が含まれたプリント指示情報が入力手段によって入力され、上記画像データにより示される動画像が再生手段によって再生される。
【００２５】
ここで、請求項５記載の発明では、上記入力手段により入力されたプリント指示情報を編集するための編集情報が編集情報入力手段によって入力され、当該編集情報に応じて上記プリント指示情報が編集手段によって編集される。従って、編集後のプリント指示情報に含まれる特定情報を参照することによって、当該編集後においてプリント出力することが指定されたシーンの画像（静止画像）を正確かつ容易に把握することができる。
【００２６】
すなわち、本発明では、動画像が複数の静止画像により構成される点に着目し、プリント出力すべき静止画像を特定情報によって特定するものとしており、この結果として当該特定情報が含まれたプリント指示情報を入力するのみで、上記動画像を示す画像データによるプリント出力の指示を正確かつ容易に行なうことができるようにしている。なお、上記特定情報としては、動画像を構成する複数の静止画像の時間的な先頭画像を先頭番号とし、以降の画像に対して当該先頭番号の次から時系列順に番号を割り振ったフレーム番号等の、動画像を構成する複数の静止画像の各々を個別に特定できる情報であれば如何なるものでも適用することができる。
【００２７】
また、本発明では、編集対象とするプリント指示情報に対応する画像データにより示される動画像を再生手段によって再生した状態でプリント指示情報の編集を行うことができ、的確にプリント指示情報の編集を行うことができる。
【００２８】
このように、請求項５に記載の再生装置によれば、動画像を示す画像データ、及び当該画像データにより示される動画像を構成する複数の静止画像におけるプリント出力を行う静止画像を特定できる特定情報が含まれたプリント指示情報を入力し、上記画像データにより示される動画像を再生し、入力されたプリント指示情報を編集するための編集情報を入力し、当該編集情報に応じて上記プリント指示情報を編集しているので、動画像を示す画像データによるプリント出力の指示を正確かつ容易に行なうことができると共に、的確にプリント指示情報の編集を行うことができる。
【００２９】
なお、請求項６記載の再生装置のように、請求項５記載の発明における前記編集手段によるプリント指示情報の編集は、前記プリント指示情報への新規情報の追加、前記プリント指示情報の新規情報への置換え、前記プリント指示情報の記録内容の更新、及び前記プリント指示情報の消去、の少なくとも１つの編集とすることができる。これにより、適用した編集を的確に行うことができる。
【００３０】
また、請求項７記載の再生装置は、請求項５又は請求項６記載の発明において、前記再生手段は、前記画像データにより示される動画像を動画再生するか、又は当該動画像を構成する複数の静止画像を個別に再生するものである。
【００３１】
請求項７記載の再生装置によれば、再生手段により、上記画像データによって示される動画像が動画再生されるか、又は当該動画像を構成する複数の静止画像が個別に再生される。
【００３２】
このように、請求項７に記載の再生装置によれば、請求項５又は請求項６記載の発明と同様の効果を奏することができると共に、画像データにより示される動画像を動画再生するか、又は当該動画像を構成する複数の静止画像を個別に再生しているので、動画再生する場合は、当該動画像の流れを参照しながらの編集作業を行うことができ、静止画像を個別に表示する場合は、編集対象とする静止画像を確認しながらの編集作業を行うことができる。
【００３３】
また、請求項８記載の再生装置は、請求項７記載の発明において、前記再生手段により前記動画像を動画再生する場合に前記動画再生の再生速度の変更を指示するための再生速度変更指示情報を入力する再生速度指示入力手段と、前記再生速度指示入力手段により入力された再生速度変更指示情報に応じて前記動画再生の再生速度を変更する再生速度変更手段と、を更に備えたものである。
【００３４】
請求項８記載の再生装置によれば、再生手段により動画像が動画再生される場合に当該動画再生の再生速度の変更を指示するための再生速度変更指示情報が再生速度指示入力手段によって入力され、当該再生速度変更指示情報に応じて上記動画再生の再生速度が再生速度変更手段によって変更される。
【００３５】
このように、請求項８に記載の再生装置によれば、請求項７記載の発明と同様の効果を奏することができると共に、本発明の動画像を動画再生する場合に当該動画再生の再生速度の変更を指示するための再生速度変更指示情報を入力し、当該再生速度変更指示情報に応じて上記動画再生の再生速度を変更しているので、再生速度を遅くした場合には、プリント指示情報の編集を、それまでより的確に行うことができ、再生速度を速くした場合には、プリント指示情報の編集を、それまでより短時間で行うことができる。
【００３６】
更に、請求項９記載の再生装置は、請求項５乃至請求項８の何れか１項記載の発明において、前記プリント指示情報は、前記特定情報により特定される静止画像の出力サイズ情報及び出力枚数情報の少なくとも一方を更に含むものである。
【００３７】
従って、請求項９に記載の再生装置によれば、請求項５乃至請求項８の何れか１項記載の発明と同様の効果を奏することができると共に、プリント指示情報に、特定情報により特定される静止画像の出力サイズ情報及び出力枚数情報の少なくとも一方を更に含めたので、プリント指示情報に含めた出力サイズ情報及び出力枚数情報の少なくとも一方に応じたプリント出力を実現することができる。
【００３８】
一方、上記目的を達成するために、請求項１０記載のプリンタは、動画像を示す画像データ、及び当該画像データにより示される動画像を構成する複数の静止画像におけるプリント出力を行う静止画像を特定できる特定情報が含まれたプリント指示情報を入力する情報入力手段と、前記画像データにより示される動画像を構成する静止画像をプリント出力するためのプリント出力手段と、前記情報入力手段により入力されたプリント指示情報に含まれる特定情報によって特定される静止画像をプリント出力するように前記プリント出力手段を制御するプリント制御手段と、を備えている。
【００３９】
請求項１０記載のプリンタは、動画像を示す画像データ、及び当該画像データにより示される動画像を構成する複数の静止画像におけるプリント出力を行う静止画像を特定できる特定情報が含まれたプリント指示情報が情報入力手段によって入力されると共に、上記画像データにより示される動画像を構成する静止画像をプリント出力するためのプリント出力手段が備えられている。
【００４０】
ここで、請求項１０記載の発明では、上記情報入力手段により入力されたプリント指示情報に含まれる特定情報によって特定される静止画像がプリント出力されるようにプリント出力手段がプリント制御手段によって制御される。
【００４１】
すなわち、本発明では、動画像が複数の静止画像により構成される点に着目し、プリント出力すべき静止画像を特定情報によって特定するものとしており、この結果として当該特定情報が含まれたプリント指示情報を入力するのみで、動画像を示す画像データによるプリント出力の指示を正確かつ容易に行なうことができるようにしている。なお、上記特定情報としては、動画像を構成する複数の静止画像の時間的な先頭画像を先頭番号とし、以降の画像に対して当該先頭番号の次から時系列順に番号を割り振ったフレーム番号等の、動画像を構成する複数の静止画像の各々を個別に特定できる情報であれば如何なるものでも適用することができる。
【００４２】
このように、請求項１０に記載のプリンタによれば、動画像を示す画像データ、及び当該画像データにより示される動画像を構成する複数の静止画像におけるプリント出力を行う静止画像を特定できる特定情報が含まれたプリント指示情報を入力し、上記画像データにより示される動画像を構成する静止画像をプリント出力するためのプリント出力手段を、入力されたプリント指示情報に含まれる特定情報によって特定される静止画像をプリント出力するように制御しているので、動画像を示す画像データによるプリント出力の指示を正確かつ容易に行なうことができる。
【００４３】
また、請求項１１記載のプリンタは、請求項１０記載の発明において、前記プリント指示情報は、前記特定情報により特定される静止画像の出力サイズ情報及び出力枚数情報の少なくとも一方を更に含み、前記プリント制御手段は、前記プリント指示情報に含まれる特定情報によって特定される静止画像を、当該特定情報に対応する前記出力サイズ情報及び前記出力枚数情報の少なくとも一方に応じてプリント出力するように前記プリント出力手段を制御するものである。
【００４４】
請求項１１記載のプリンタは、プリント指示情報に、上記特定情報により特定される静止画像の出力サイズ情報及び出力枚数情報の少なくとも一方が更に含められ、プリント制御手段により、プリント指示情報に含まれる特定情報によって特定される静止画像が、当該特定情報に対応する出力サイズ情報及び出力枚数情報の少なくとも一方に応じてプリント出力されるようにプリント出力手段が制御される。
【００４５】
このように、請求項１１に記載のプリンタによれば、請求項１０記載の発明と同様の効果を奏することができると共に、本発明のプリント指示情報に、本発明の特定情報により特定される静止画像の出力サイズ情報及び出力枚数情報の少なくとも一方を更に含め、かつプリント指示情報に含まれる特定情報によって特定される静止画像を、当該特定情報に対応する出力サイズ情報及び出力枚数情報の少なくとも一方に応じてプリント出力するように制御しているので、プリント指示情報に含めた出力サイズ情報及び出力枚数情報の少なくとも一方に応じたプリント出力を実現することができる。
【００４６】
一方、上記目的を達成するために、請求項１２記載のプリントシステムは、請求項１０又は請求項１１に記載のプリンタと、前記プリンタによるプリント出力の依頼を受注する受注手段と、前記受注手段により受注されたプリント出力の依頼に応じた前記プリンタによるプリント出力に対する対価を当該プリント出力の依頼元に要求する要求手段と、を備えている。
【００４７】
請求項１２記載のプリントシステムによれば、本発明のプリンタを備えると共に、当該プリンタによるプリント出力の依頼が受注手段によって受注される。この受注に応じて、本発明のプリンタでは、動画像を示す画像データ、及び当該画像データにより示される動画像を構成する複数の静止画像におけるプリント出力を行う静止画像を特定できる特定情報が含まれたプリント指示情報が情報入力手段によって入力され、当該プリント指示情報に含まれる特定情報によって特定される静止画像がプリント出力されるようにプリント出力手段がプリント制御手段によって制御される。
【００４８】
そして、本発明では、要求手段により、受注手段によって受注されたプリント出力の依頼に応じた上記プリンタによるプリント出力に対する対価が当該プリント出力の依頼元に要求される。
【００４９】
このように、請求項１２に記載のプリントシステムによれば、請求項１０又は請求項１１記載のプリンタを備えているので、請求項１０又は請求項１１記載の発明と同様に、動画像を示す画像データによるプリント出力の指示を正確かつ容易に行なうことができると共に、当該プリンタによるプリント出力の依頼を受注し、かつ受注したプリント出力の依頼に応じた上記プリンタによるプリント出力に対する対価を当該プリント出力の依頼元に要求しているので、人手を介することなく簡易にプリント出力に対する対価を得ることができる。
【００５０】
【発明の実施の形態】
以下、図面を参照して、本発明の実施の形態について詳細に説明する。なお、以下では、本発明の撮像装置を静止画像の他、動画像の撮影も行うことができるデジタル・スチル・カメラ（以下、単に「デジタルカメラ」という。）に適用し、本発明の再生装置をＤＶＤ（Ｄｉｇｉｔａｌ　Ｖｅｒｓａｔｉｌｅ　Ｄｉｓｃ）プレーヤに適用し、本発明のプリンタをデジタルカメラによる撮影等によって得られた映像データを用いた映像サービスシステムを構築するためにＤＰＥ（Ｄｅｖｅｌｏｐｉｎｇ　Ｐｒｉｎｔｉｎｇ　Ｅｎｌａｒｇｉｎｇ）受付店（以下、「ラボ店」という。）に設置されているプリンタに適用し、本発明のプリントシステムを上記映像サービスシステムに適用した場合について説明する。
【００５１】
まず、本実施の形態で取り扱う動画像について説明する。本実施の形態では、動画像の把握を容易とするため、静止画像とほぼ同様に、動画像は映像データに付帯データが付加された動画像ファイルとして扱う。
【００５２】
すなわち、デジタルカメラなどで撮影された静止画像で提供される撮影画像は、撮影画像の把握を容易とするため、撮影画像そのものの画像データ以外に、ファイル名や撮影条件などの属性データを含んだ形式（所謂ＥＸＩＦ（Ｅｘｃｈａｎｇｅａｂｌｅ　Ｉｍａｇｅ　Ｆｉｌｅ　Ｆｏｒｍａｔ）形式）の画像ファイルとして流通される。
【００５３】
このＥＸＩＦ形式の画像ファイルには、個々の撮影画像毎に、画像データ以外に属性データとして、ファイル名、撮影に使用したデジタルカメラの機種、撮影日時、撮影時の撮影条件（デジタルカメラの設定）を表す各種情報（例えばシャッタースピード、絞り値、画質モード（画像データの圧縮率）、感度、露出プログラムのモード、測光方式、ホワイトバランスのモード、フォーカスのモード、シャープネスのモード、焦点距離、露出補正値、ストロボのオンオフ、ストロボ補正値、マクロモードのオンオフ等）等の情報が含まれている。
【００５４】
ところで、動画像は、静止画像が時系列的に連続された静止画像群である。この静止画像群に含まれる１静止画像は、動画像中の１フレームとして扱うことができる。従って、動画像は、フレーム単位（静止画像単位）で時間や位置を特定することが可能である。
【００５５】
そこで、本実施の形態では、その静止画像群である動画像を対象とした付帯データが映像データ（静止画像群の画像ファイル群）に付加された動画像ファイルとして扱う。この付帯データは、動画像の利用形態を特定したり範囲を指定したりするためのデータである。
【００５６】
詳細には、動画像ファイルは、映像データと付帯データとから構成される。映像データは、時系列的に連続した上述のＥＸＩＦ形式の画像ファイルで構成することができる。なお、ＥＸＩＦ形式による画像ファイルによる属性データは、静止画像データの各々に帰属させてもよいが、所定数毎に帰属させてもよく、内容に変動があったときにそのフレームである静止画像データに帰属させてもよい。
【００５７】
付帯データは、動画像単位で、映像データ以外に、次の表１に示す、ステータス、インデックス、フレームプリント、メール配信、ＧＰＳ情報、日付情報、カメラ機種、及びＰＷ情報の８つの各項目に大分類された内容を含んでいる。
【００５８】
【表１】
2004128679.tif 000003
【００５９】
付帯データの、第１の項目である「ステータス」は、映像データの扱い（フレームの重要性）を表すものであり、適用内容と適用範囲から構成される。適用内容は、代表、主要、保管用、不要の４種類に小分類されており、各々の小分類には、適用範囲としてフレーム番号（フレームＮｏ．）が対応される。ステータス（代表）の項目は動画像ファイル内の代表的なフレームやフレーム範囲を示すもので、主に動画像ファイルからダイジェスト版を作成するときに参照するために用いられる。ステータス（主要）の項目は動画像ファイル内の主要な（標準的な）フレームやフレーム範囲を示すもので、主に動画像ファイルを標準的に（通常のモードで）再生するときに参照するために用いられる。ステータス（保管用）の項目は動画像ファイルを保管するときのフレームやフレーム範囲を示すもので、主に保管用とすべき動画像ファイルを全て（フルモードで）再生するときに参照するために用いられる。ステータス（不要）の項目は動画像ファイルに含まれる不要なフレームやフレーム範囲を示すもので、主にメディア変換時や動画ファイル送信時に削除されるべきフレームやフレーム範囲を参照するために用いられる。
【００６０】
項目は、コード情報で表される。表１の例では、第１の項目「ステータス」を表す「１」に適用内容の序列の番号０〜３が連続されて構成される。すなわち、ステータス（代表）の項目は「１０」、ステータス（主要）の項目は「１１」、ステータス（保管用）の項目は「１２」、ステータス（不要）の項目は「１３」のコード情報で表される。また、適用範囲は開始フレームと終了フレームとから構成されている（開始フレーム：終了フレーム）。
【００６１】
付帯データの、第２の項目である「インデックス」は、映像データにおける位置を表すものであり、主にインデックス作成時のフレームの位置を表している。適用内容としては、プリントインデックス、モニターインデックスの２種類に小分類されており、その適用範囲としてフレーム番号（フレームＮｏ．）が対応される。プリントインデックスは、動画像ファイルに関するインデックスをプリントするときのフレームやフレーム範囲を示すもので、モニターインデックスは、動画像ファイルをモニターなどに表示するときのフレームやフレーム範囲を示すものである。プリントインデックスは「２０」、モニターインデックスは「２１」のコード情報で表される。
【００６２】
付帯データの、第３の項目である「フレームプリント」は、映像データにおけるプリント指示の位置を表すものであり、映像データからプリントを作成する時のフレームの位置を表している。適用内容としては、プリントサイズによって、Ｌサイズプリント、２Ｌサイズプリント、ポストカードプリントの３種類に小分類されており、その適用範囲としてフレーム番号（フレームＮｏ．）及び枚数が対応される。Ｌサイズプリントは「３０」、２Ｌサイズプリントは「３１」、ポストカードプリントは「３２」のコード情報で表される。
【００６３】
付帯データの、第４の項目である「メール配信」は、映像データを電送することを表すものであり、電送形態、宛先及び電送範囲が対応される。適用内容としては、電送形態により小分類され、電送形態には宛先を含んでいる。表１の例では、動画像をメール送信する場合に「４０」のコード情報で表され、静止画像をメール送信する場合に「４１」のコード情報で表される。内容には、アドレス（”△＠□．ｃｏｍ”、”×＠○．ｃｏ．ｊｐ”、”△＠○．ｃｏ．ｊｐ”）を含み、電送範囲としてフレーム番号（フレームＮｏ．）またはフレーム範囲が対応される。
【００６４】
付帯データの、第５の項目である「ＧＰＳ情報」は、撮影時点における位置を表すものである。適用内容としては、ＧＰＳ（Ｇｌｏｂａｌ　Ｐｏｓｉｔｉｏｎｉｎｇ　Ｓｙｓｔｅｍｓ）から得られる緯度や経度のデータが用いられ、その位置における撮影範囲としてフレーム番号（フレームＮｏ．）が対応される。ＧＰＳ情報は「５０」のコード情報で表される。
【００６５】
付帯データの、第６の項目である「日付情報」は、撮影時点における日付を表すものである。適用内容として、年月日時曜日などのデータが用いられ、その日時における撮影範囲としてフレーム番号（フレームＮｏ．）が対応される。日付情報は「６０」のコード情報で表される。
【００６６】
付帯データの、第７の項目である「カメラ機種」は、撮影に利用したカメラ、すなわち映像データを得たカメラの機種を表すものである。適用内容としては、カメラの種別及び型番などで構成され、表１の例では、デジカメ（デジタルカメラ）として「７０」、デジタルビデオとして「７１」、カメラ内蔵の携帯端末として「７２」、カメラ内蔵時計として「７３」の各コード情報で表される４種類に小分類されており、その適用範囲としてフレーム番号（フレームＮｏ．）が対応される。
【００６７】
付帯データの、第８の項目である「ＰＷ情報」は、映像データに対する暗証番号を表すものであり、主に秘匿性を必要とするフレームの位置を表している。適用内容としては、暗証番号を含み、その適用範囲としてフレーム番号（フレームＮｏ．）が対応される。コード情報は、「８０」が対応される。
【００６８】
なお、上記の８種類の項目以外にも、焦点距離や絞り値などの撮影条件情報、その動画像ファイルのユーザを表す氏名、住所、年齢、性別などの個人情報、クレジットカードの種別や番号などの決済情報を含むことができる。
【００６９】
次に、図１を参照して、本実施の形態に係る映像サービスシステム１０の概要を説明する。なお、図１は、映像サービスシステム１０の概略機能構成を示すブロック図である。
【００７０】
本実施の形態に係る映像サービスシステム１０は、デジタルカメラによる撮影等によって得られた映像データによる写真プリントのプリントサービスを行うラボ店に構築されている。
【００７１】
図１に示すように、本実施の形態の映像サービスシステム１０では、デジタルカメラで構成された撮像装置１２による動画像の撮影によって得られた映像データ１４Ａと、ＤＶＤプレーヤで構成された再生装置１６により必要に応じて編集された付帯データ１４Ｂと、から構成された動画像ファイル１４の当該付帯データ１４Ｂに基づいて、サービス選択手段２８によりサービス切替手段２０を切り替えることによってサービス種を選択する。
【００７２】
この映像サービスシステム１０では、映像データ１４Ａのストリーミングサーバ２２を介したストリーミング配信を行う映像配信サービス、映像データ１４ＡのＤＶＤ記録装置２４によるＤＶＤ４２への記録を行う映像記録サービス、映像データ１４Ａにより示される画像のプリンタ２６によるインデックスプリント４４やフレーム毎のプリント４６を作成するプリントサービス等が選択的に行われる。なお、この映像サービスシステム１０では、付帯データ１４Ｂに対して情報サーバ４０等に記憶されている外部情報を付与する等、付帯データ１４Ｂを付帯データ編集手段３０により編集することもできる。また、この映像サービスシステム１０では、映像編集手段３２によって映像データ１４Ａを付帯データ１４Ｂに基づいて編集することもできる。
【００７３】
次に、図２を参照して、本実施の形態に係る映像サービスシステム１０を実現するために一例として適用されるコンピュータ・ネットワーク１の構成について説明する。なお、本発明は、映像サービスシステム１０により提供されるサービスのうちのプリントサービスに関するものであるので、これ以降の説明では錯綜を回避するために、プリントサービスに関する部分のみについて図示して説明する。
【００７４】
同図に示すように、コンピュータ・ネットワーク１は通信媒体として、インターネット４８を含んで構成される。
【００７５】
ここで、インターネット４８には、モデム、ルータ、ＴＡ（Ｔｅｒｍｉｎａｌ　Ａｄａｐｔｅｒ）等の接続装置９０を介して、各地のラボ店が所有する端末装置９２及び映像サービスシステム１０のユーザの自宅に設置されている端末装置９４が接続されている。このようなネットワーク上の端末装置９２や端末装置９４は、例えば、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）などの所定の通信プロトコルに従って相互アクセスが可能となっている。
【００７６】
なお、同図に示すように、本実施の形態では、前述の動画像ファイル１４（図１も参照）は、スマートメディアにより構成されたメモリカード６３を介して端末装置９４に入力される。従って、端末装置９４には、メモリカード６３とアクセスする機能が備えられている。また、前述のプリンタ２６（図１も参照）は、当該プリンタ２６が設置されているラボ店に設置されている端末装置９２に接続されており、端末装置９２はプリンタ２６との間で各種情報の授受が可能とされている。ここで、前述のサービス選択手段２８、付帯データ編集手段３０、及び映像編集手段３２は端末装置９２に含まれる。
【００７７】
次に、図３を参照して、本実施の形態に係る撮像装置１２の外観上の構成を説明する。同図に示すように、撮像装置１２の正面には、被写体像を結像させるためのレンズ６６と、撮影する被写体の構図を決定するために用いられるファインダ８８と、が備えられている。また、撮像装置１２の上面には、撮影を実行する際にユーザによって押圧操作されるレリーズボタン（所謂シャッター）６７と、電源スイッチ６８と、が備えられている。
【００７８】
なお、本実施の形態に係る撮像装置１２のレリーズボタン６７は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００７９】
また、本実施の形態に係る撮像装置１２は、静止画像の撮影の他、動画像の撮影も行うことができるように構成されており、静止画像の撮影を行う際には、レリーズボタン６７を半押し状態にすることによりＡＥ（Ａｕｔｏｍａｔｉｃ　Ｅｘｐｏｓｕｒｅ、自動露出）機能が働いて露出状態（シャッタースピード、絞りの状態）が設定された後、ＡＦ（Ａｕｔｏ　Ｆｏｃｕｓ、自動合焦）機能が働いて合焦制御され、その後、引き続き全押し状態にすると露光（撮影）が行われる。
【００８０】
これに対し、動画像の撮影を行う際には、レリーズボタン６７を全押し状態とすることによって動画像の撮影が開始され、レリーズボタン６７の押下状態を一旦未押下位置まで戻した後、再度全押し状態とすることによって当該動画像の撮影が停止されるように構成されている。このように、本実施の形態に係る撮像装置１２では、動画像の撮影を開始するときにレリーズボタン６７を全押し状態とし、当該撮影を停止するときに再度レリーズボタン６７を全押し状態とするものであるが、これに限らず、レリーズボタン６７を全押し状態としている期間中に動画像の撮影を行う形態とすることもできる。
【００８１】
一方、撮像装置１２の背面には、前述のファインダ８８の接眼部と、撮影によって得られたデジタル画像データにより示される被写体像や各種メニュー画面、メッセージ等を表示するための液晶ディスプレイ（以下、「ＬＣＤ」という。）５８と、撮影を行うモードである撮影モード及び撮影によって得られたデジタル画像データにより示される被写体像をＬＣＤ５８に表示（再生）するモードである再生モードの何れか一方のモードに設定する際にユーザによってスライド操作されるモード切替スイッチ６９と、ＬＣＤ５８の表示領域における上・下・左・右の４方向の移動方向を示す４つの矢印キー及び当該４つの矢印キーの中央部に位置された決定キーの合計５つのキーを含んで構成された十字カーソルボタン７０と、が備えられている。
【００８２】
次に、図４を参照して、本実施の形態に係る撮像装置１２の電気系の構成を説明する。
【００８３】
同図に示すように、撮像装置１２は、前述のレンズ６６を含んで構成された光学ユニット５０と、レンズ６６の光軸後方に配設されたＣＣＤ５１と、相関二重サンプリング回路（以下、「ＣＤＳ」という。）を含んで構成されたアナログ信号処理部５２と、入力されたアナログ信号をデジタルデータに変換するアナログ／デジタル変換器（以下、「ＡＤＣ」という。）５３と、所定容量のラインバッファを内蔵し、かつ入力されたデジタル画像データを後述するメモリ６１の所定領域に直接記憶させる制御を行うと共に、デジタル画像データに対して各種のデジタル画像処理を行うデジタル信号処理部５４と、を含んで構成されている。
【００８４】
一方、撮像装置１２は、デジタル画像データにより示される画像やメニュー画面等をＬＣＤ５８に表示させるための信号を生成してＬＣＤ５８に供給するＬＣＤインタフェース５７と、撮像装置１２全体の動作を司るＣＰＵ（中央処理装置）５９と、主として撮影により得られたデジタル画像データを記憶するＶＲＡＭ（Ｖｉｄｅｏ　ＲＡＭ）により構成されたメモリ６１と、メモリ６１に対するアクセスの制御を行うメモリインタフェース６０と、スマートメディアにより構成されたメモリカード６３を撮像装置１２でアクセス可能とするための外部メモリインタフェース６２と、所定の圧縮形式でデジタル画像データに対して圧縮処理を施す一方、圧縮処理されたデジタル画像データに対して圧縮形式に応じた伸張処理を施す圧縮・伸張処理回路６４と、を含んで構成されている。
【００８５】
デジタル信号処理部５４、ＬＣＤインタフェース５７、ＣＰＵ５９、メモリインタフェース６０、外部メモリインタフェース６２、及び圧縮・伸張処理回路６４はシステムバスＢＵＳを介して相互に接続されている。従って、ＣＰＵ５９は、デジタル信号処理部５４及び圧縮・伸張処理回路６４の作動の制御、ＬＣＤ５８に対するＬＣＤインタフェース５７を介した各種情報の表示、メモリ６１及びメモリカード６３へのメモリインタフェース６０及び外部メモリインタフェース６２を介したアクセスを行うことができる。
【００８６】
一方、撮像装置１２には、主としてＣＣＤ５１を駆動させるためのタイミング信号を生成してＣＣＤ５１に供給するタイミングジェネレータ５５が備えられており、ＣＣＤ５１の駆動はＣＰＵ５９によりタイミングジェネレータ５５を介して制御される。
【００８７】
更に、撮像装置１２にはモータ駆動部５６が備えられており、光学ユニット５０に備えられた焦点調整モータ、ズームモータ及び絞り駆動モータの駆動もＣＰＵ５９によりモータ駆動部５６を介して制御される。
【００８８】
すなわち、本実施の形態に係る光学ユニット５０に含まれるレンズ６６は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ５９の制御によりモータ駆動部５６から供給された駆動信号によって駆動される。
【００８９】
更に、前述のレリーズボタン６７、電源スイッチ６８、モード切替スイッチ６９、及び十字カーソルボタン７０の各種ボタン類及びスイッチ類（同図では、「操作部６５」と総称。）はＣＰＵ５９に接続されており、ＣＰＵ５９は、これらの操作部６５に対する操作状態を常時把握できる。
【００９０】
撮像装置１２のＣＣＤ５１が本発明の撮像手段に、ＣＰＵ５９が本発明の画像データ記録手段に、ＬＣＤ５８が本発明の表示手段に、メモリカード６３が本発明の記録媒体に、各々相当する。
【００９１】
次に、図５を参照して、本実施の形態に係る再生装置１６の構成を説明する。同図に示すように、再生装置１６は、再生装置１６全体の動作を司るＣＰＵ７２と、各種プログラムやパラメータ値等が予め記憶されたＲＯＭ（Ｒｅａｄ　Ｏｎｌｙ　Ｍｅｍｏｒｙ）７３と、ＣＰＵ７２により各種プログラムを実行する際のワークエリア等として用いられるＲＡＭ（Ｒａｎｄｏｍ　Ａｃｃｅｓｓ　Ｍｅｍｏｒｙ）７４と、メモリカード６３を再生装置１６でアクセス可能とするための外部メモリインタフェース７５と、各種キースイッチにより構成された操作部７６と、装着されたＤＶＤ（図示省略）に記録された映像データを再生するための制御を行う一方、メモリカード６３に記録された映像データを再生するための制御を行う再生制御部７７と、映像データにより示される画像やメニュー画面等をテレビ等の外部モニタ７９に表示させるための映像信号（ここでは、ＮＴＳＣ信号。）を生成して不図示のビデオ出力端子に出力するビデオエンコーダ７８と、を含んで構成されている。なお、上記ビデオ出力端子には外部モニタ７９が接続されている。
【００９２】
ＣＰＵ７２、ＲＯＭ７３、ＲＡＭ７４、外部メモリインタフェース７５、操作部７６、再生制御部７７、及びビデオエンコーダ７８はシステムバスＢＵＳ１を介して相互に接続されている。従って、ＣＰＵ７２は、ＲＯＭ７３及びＲＡＭ７４へのアクセス、操作部７６を介した各種情報の入力、再生制御部７７の作動の制御、ビデオエンコーダ７８を介した外部モニタ７９への画像や各種情報の表示、メモリカード６３への外部メモリインタフェース７５を介したアクセスを各々行うことができる。
【００９３】
再生装置１６の外部メモリインタフェース７５が本発明の入力手段に相当する。
【００９４】
次に、図６を参照して、本実施の形態に係る端末装置９２の構成を説明する。同図に示すように、端末装置９２は、端末装置９２全体の動作を司るＣＰＵ９５と、各種プログラムやパラメータ値等が予め記憶されたＲＯＭ９６と、ＣＰＵ９５により各種プログラムを実行する際のワークエリア等として用いられるＲＡＭ９７と、インターネット４８を介して外部との各種情報の授受を行う入出力ポート９８と、プリンタ２６との間の各種情報の授受を制御する外部インタフェース９９と、を含んで構成されている。
【００９５】
ＣＰＵ９５、ＲＯＭ９６、ＲＡＭ９７、入出力ポート９８、及び外部インタフェース９９はシステムバスＢＵＳ２を介して相互に接続されている。従って、ＣＰＵ９５は、ＲＯＭ９６及びＲＡＭ９７へのアクセス、インターネット４８を介した外部との間の各種情報の授受、外部インタフェース９９を介したプリンタ２６との間の各種情報の授受を各々行うことができる。
【００９６】
次に、図７を参照して、本実施の形態に係るプリンタ２６の構成を説明する。同図に示すように、プリンタ２６は、プリンタ２６全体の動作を司るＣＰＵ８０と、各種プログラムやパラメータ値等が予め記憶されたＲＯＭ８１と、ＣＰＵ８０により各種プログラムを実行する際のワークエリア等として用いられるＲＡＭ８２と、端末装置９２との間の各種情報の授受を制御する外部インタフェース８３と、各種キースイッチにより構成された操作部８４と、インデックスプリント４４やフレーム毎のプリント４６を出力するプリント部８６と、を含んで構成されている。
【００９７】
ＣＰＵ８０、ＲＯＭ８１、ＲＡＭ８２、外部インタフェース８３、操作部８４、及びプリント部８６はシステムバスＢＵＳ３を介して相互に接続されている。従って、ＣＰＵ８０は、ＲＯＭ８１及びＲＡＭ８２へのアクセス、外部インタフェース８３を介した端末装置９２との間の各種情報の授受、操作部８４を介した各種情報の入力、プリント部８６の作動の制御を各々行うことができる。
【００９８】
プリンタ２６のプリント部８６が本発明のプリント出力手段に、ＣＰＵ８０が本発明のプリント制御手段に、各々相当する。
【００９９】
次に、本実施の形態の作用について詳細に説明する。まず、撮像装置１２の作用として、撮影時における撮像装置１２の全体的な動作について図３及び図４を参照しつつ簡単に説明する。
【０１００】
まず、ＣＣＤ５１により光学ユニット５０を介した撮像を行い、被写体像を示すＲ（赤）、Ｇ（緑）、Ｂ（青）の信号をアナログ信号処理部５２に順次出力する。アナログ信号処理部５２は、ＣＣＤ５１から入力された信号に対して相関二重サンプリング処理等のアナログ信号処理を施した後にＡＤＣ５３に順次出力する。ＡＤＣ５３は、アナログ信号処理部５２から入力されたＲ、Ｇ、Ｂの信号を各々１２ビットのＲ、Ｇ、Ｂの信号（デジタル画像データ）に変換してデジタル信号処理部５４に順次出力する。デジタル信号処理部５４は、内蔵しているラインバッファにＡＤＣ５３から順次入力されるデジタル画像データを蓄積して一旦メモリ６１の所定領域に格納する。
【０１０１】
メモリ６１の所定領域に格納されたデジタル画像データは、ＣＰＵ５９による制御によりデジタル信号処理部５４によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号をメモリ６１の上記所定領域とは異なる領域に格納する。
【０１０２】
なお、ＬＣＤ５８は、ＣＣＤ５１による連続的な撮像によって得られた動画像（所謂スルー画像）を表示してファインダとして使用することができるものとして構成されているが、このようにＬＣＤ５８をファインダとして使用する場合には、生成したＹＣ信号を、ＬＣＤインタフェース５７を介して順次ＬＣＤ５８に出力する。これによってＬＣＤ５８にスルー画像が表示されることになる。
【０１０３】
ここで、撮像装置１２のユーザにより撮影モードでかつ静止画像の撮影が設定されているときには、レリーズボタン６７がユーザによって全押し状態とされたときに、この時点でメモリ６１に格納されているＹＣ信号を、圧縮・伸張処理回路６４によって所定の圧縮形式（本実施の形態では、ＪＰＥＧ形式）で圧縮した後にメモリカード６３に静止画像の画像ファイルとして記録する。
【０１０４】
また、ユーザにより撮影モードでかつ動画像の撮影が設定されているときには、レリーズボタン６７が全押し状態とされた時点から次にレリーズボタン６７が全押し状態とされる時点までの期間、すなわち動画像の撮影を行っている期間において、所定期間（本実施の形態では、１／３０秒（０．０３３・・・秒））毎に、メモリ６１に格納されているＹＣ信号を、圧縮・伸張処理回路６４によって所定の圧縮形式（本実施の形態では、Ｍｏｔｉｏｎ　ＪＰＥＧ形式）で圧縮した後に前述の映像データ１４Ａとして付帯データ１４Ｂと共に動画像ファイル１４としてメモリカード６３に記録する。従って、本実施の形態に係る撮像装置１２で動画像の撮影を行ったときには、３０フレーム／秒の動画像をメモリカード６３に記録することができる。
【０１０５】
ところで、本実施の形態に係る撮像装置１２では、メモリ６３に記録された動画像ファイル１４における付帯データ１４Ｂの「フレームプリント」を随時設定することができる。以下、図８を参照して、ユーザにより「フレームプリント」の設定が行われるときの撮像装置１２の作用を説明する。なお、図８は、ユーザにより「フレームプリント」の設定を行う旨の指示入力が行われた際に撮像装置１２のＣＰＵ５９で実行されるフレームプリント設定処理プログラムの処理の流れを示すフローチャートである。また、ここでは、「フレームプリント」の設定対象とする動画像ファイルが、ユーザによって予め指定されている場合について説明する。
【０１０６】
なお、本実施の形態に係るフレームプリント設定処理プログラムでは、「フレームプリント」の設定対象とする動画像ファイル１４の映像データ１４Ａにより示される動画像がＬＣＤ５８で再生され、ユーザは、これを参照しながらプリント出力するフレームを指定する。このときの動画像の再生速度は十字カーソルボタン７０の操作によって変更できる。また、当該動画像の再生中にレリーズボタン６７を全押し状態とすることにより、その時点でＬＣＤ５８に表示されているフレームをプリント出力するものとして指定することができる。
【０１０７】
従って、ユーザは、動画像の再生速度が速すぎてプリント出力したいフレームが指定し難い場合は、十字カーソルボタン７０の操作により動画像の再生速度を低速化させればよい。また、プリント出力したいフレームが再生中の動画像の長時間後に再生されるものである場合には、十字カーソルボタン７０の操作により再生速度を高速化させればよい。
【０１０８】
図８のステップ２００では、ユーザにより予め指定された動画像ファイル１４に含まれる映像データ１４Ａによって示される動画像のＬＣＤ５８による再生（表示）が開始されるように関係各部を制御する。これによって、ＬＣＤ５８への当該動画像の再生が開始される。
【０１０９】
図９には、このときのＬＣＤ５８における表示画面の状態が示されている。同図に示されるように、本実施の形態における当該画面では、上記動画像と共に、再生速度を変更する際に操作するボタン及びプリント出力するフレームを指定する際に操作するボタンが明示されている。なお、本実施の形態では、動画像の再生速度を低速化させる場合の操作キーを十字カーソルボタン７０の左矢印キーとし、高速化させる場合の操作キーを十字カーソルボタン７０の右矢印キーとしている。
【０１１０】
なお、この時点では、同図に示される表示画面の下端部におけるプリント枚数及びプリントサイズの指定領域や「終了」ボタンは表示されていない。
【０１１１】
同図に示すような画面がＬＣＤ５８に表示されると、ユーザは、当該画面の動画像の再生速度を変更するときには十字カーソルボタン７０の対応する矢印キーを、プリント出力するフレームを指定するときにはレリーズボタン６７を、各々操作する。
【０１１２】
そこで、次のステップ２０２では、ユーザによって十字カーソルボタン７０の左矢印キー及び右矢印キーの何れかが操作されたか否かを判定することにより、ユーザによって動画像の再生速度の変更が指示されたか否かを判定し、肯定判定の場合はステップ２０４に移行する。
【０１１３】
ステップ２０４では、ユーザによって操作された矢印キーに応じて動画像の再生速度を所定速度（本実施の形態では、通常再生速度の１０分の１に相当する速度）だけ変更するように制御し、その後に上記ステップ２０２に戻る。
【０１１４】
一方、上記ステップ２０２において否定判定された場合にはステップ２０６に移行し、ユーザによってレリーズボタン６７が操作されたか否かを判定することにより、ユーザによってプリント出力するフレームが指定されたか否かを判定し、肯定判定の場合はステップ２０８に移行して動画像の再生を停止するように制御し、その後にステップ２１０にて所定情報の入力待ちを行なう。なお、上記ステップ２０６の判定対象となるレリーズボタン６７が操作されたことを示す情報が本発明の「指定情報」に相当する。
【０１１５】
なお、この時点で、図９に示される表示画面の下端部におけるプリント枚数及びプリントサイズの指定領域や「終了」ボタンが表示される。そこで、ユーザは、当該表示画面上で、表示されているフレームのプリント枚数（本発明の「出力枚数」に相当。）及びプリントサイズ（本発明の「出力サイズ」に相当。）を十字カーソルボタン７０の操作によって入力した後に、「終了」ボタンを指定する。これによって、ＣＰＵ５９には、ユーザによって入力されたプリント枚数を示す出力枚数情報及びプリントサイズを示す出力サイズ情報が入力され、上記ステップ２１０が肯定判定されてステップ２１２に移行する。
【０１１６】
ステップ２１２では、この時点でＬＣＤ５８に表示されているフレーム、すなわちユーザによってプリント出力することが指定されたフレームのフレーム番号（本発明の「特定情報」に相当。）と、ユーザによって入力された出力枚数情報及び出力サイズ情報とに基づいて、処理対象とする動画像ファイル１４の付帯データ１４Ｂにおける「フレームプリント」の情報（本発明の「プリント指示情報」に相当。）を記録し、次のステップ２１４で動画像の再生を再開した後、上記ステップ２０２に戻る。
【０１１７】
上記ステップ２１２の処理により、ユーザによりプリント出力するものとして指定されたフレームを特定できるフレーム番号の含まれた「フレームプリント」の情報を映像データ１４Ａに関連付けてメモリカード６３に記録することができると共に、出力サイズ情報及び出力枚数情報を上記フレーム番号に関連付けた状態で「フレームプリント」の情報に含めてメモリカード６３に記録することができる。
【０１１８】
一方、上記ステップ２０６において否定判定された場合はステップ２１６に移行し、動画像の再生が最終フレームまで終了したか否かを判定し、否定判定の場合は上記ステップ２０２に戻り、肯定判定となった時点で本フレームプリント設定処理プログラムを終了する。
【０１１９】
本フレームプリント設定処理プログラムのステップ２０２の処理が本発明の変更指示情報入力手段に、ステップ２０４の処理が本発明の速度変更手段に、ステップ２０６及びステップ２１０の処理が本発明の指定情報入力手段に、ステップ２１２の処理が本発明のプリント指示情報記録手段に、各々相当する。
【０１２０】
次に、図１０を参照して、再生装置１６を用いてメモリカード６３に記録されている動画像ファイル１４の付帯データ１４Ｂにおける「フレームプリント」の編集が行われるときの再生装置１６の作用を説明する。なお、図１０は、ユーザにより再生装置１６に対して「フレームプリント」の編集を行う旨の指示入力が行われた際に再生装置１６のＣＰＵ７２で実行されるフレームプリント編集処理プログラムの処理の流れを示すフローチャートであり、該プログラムはＲＯＭ７３に予め記憶されている。また、ここでは、「フレームプリント」の編集対象とする動画像ファイル１４が記録されたメモリカード６３が再生装置１６に装着されており、ユーザによって当該動画像ファイル１４が予め指定されている場合について説明する。
【０１２１】
同図のステップ３００では、予め定められたメニュー画面を外部モニタ７９に表示させ、次のステップ３０２では、所定情報の入力待ちを行なう。
【０１２２】
図１１（Ａ）には、上記ステップ３００の処理によって外部モニタ７９に表示されたメニュー画面が示されている。同図に示すように、本実施の形態に係るメニュー画面は、実施したい編集項目の指定を促す旨のメッセージが表示されると共に、指定可能な編集項目として、「フレームプリント」への新規情報の追加を行なう「設定追加」、「フレームプリント」の新規情報への置換えを行なう「新規設定」、「フレームプリント」の記録内容の更新を行なう「設定更新」、及び「フレームプリント」の設定内容を消去する「設定消去」、の４種類の項目名が表示されている。
【０１２３】
同図に示されるようなメニュー画面が外部モニタ７９に表示されると、ユーザは、所望の編集項目を操作部７６の操作によって指定する。これにより、ＣＰＵ７２には、ユーザによって指定された編集項目を示す情報が入力され、上記ステップ３０２が肯定判定となってステップ３０４に移行する。
【０１２４】
ステップ３０４では、ユーザによって予め指定された動画像ファイル１４をメモリカード６３から読出し、次のステップ３０６では、ユーザによって指定された編集項目が「設定追加」であったか否かを判定し、肯定判定の場合はステップ３０８に移行して、図１２に示されるフレームプリント設定処理プログラムを実行した後に本フレームプリント編集処理プログラムを終了する。以下、図１２を参照して、上記ステップ３０８で実行されるフレームプリント設定処理プログラムについて説明する。なお、該プログラムもＲＯＭ７３に予め記憶されている。
【０１２５】
同図のステップ４００では、ユーザにより予め指定された動画像ファイル１４に含まれる映像データ１４Ａによって示される動画像の外部モニタ７９による再生（表示）が開始されるように関係各部を制御する。これによって、外部モニタ７９への当該動画像の再生が開始される。
【０１２６】
図１３には、このときの外部モニタ７９における表示画面の状態が示されている。同図に示されるように、本実施の形態における当該画面では、上記動画像と共に、再生速度を変更する際に操作するキー及びプリント出力するフレームを指定する際に操作するキーが明示されている。なお、ここでは、動画像の再生速度を低速化させる場合の操作キーを操作部７６に設けられた左矢印キーとし、高速化させる場合の操作キーを操作部７６に設けられた右矢印キーとし、プリント出力するフレームを指定する場合の操作キーを操作部７６に設けられたプレイキー（何れのキーも図示省略。）としている。
【０１２７】
なお、この時点では、同図に示される表示画面の下端部におけるプリント枚数及びプリントサイズの指定領域や「終了」ボタンは表示されていない。
【０１２８】
同図に示すような画面が外部モニタ７９に表示されると、ユーザは、当該画面の動画像の再生速度を変更するときには操作部７６の対応する矢印キーを、プリント出力するフレームを指定するときには操作部７６のプレイキーを、各々操作する。
【０１２９】
そこで、次のステップ４０２では、ユーザによって操作部７６の左矢印キー及び右矢印キーの何れかが操作されたか否かを判定することにより、ユーザによって動画像の再生速度の変更が指示されたか否かを判定し、肯定判定の場合はステップ４０４に移行する。
【０１３０】
ステップ４０４では、ユーザによって操作された矢印キーに応じて動画像の再生速度を所定速度（本実施の形態では、通常再生速度の１０分の１に相当する速度）だけ変更するように制御し、その後に上記ステップ４０２に戻る。
【０１３１】
一方、上記ステップ４０２において否定判定された場合にはステップ４０６に移行し、ユーザによって操作部７６のプレイキーが操作されたか否かを判定することにより、ユーザによってプリント出力するフレームが指定されたか否かを判定し、肯定判定の場合はステップ４０８に移行して動画像の再生を停止するように制御し、その後にステップ４１０にて所定情報の入力待ちを行なう。なお、この時点で、図１３に示される表示画面の下端部におけるプリント枚数及びプリントサイズの指定領域や「終了」ボタンが表示される。
【０１３２】
そこで、ユーザは、当該表示画面上で、表示されているフレームのプリント枚数（本発明の「出力枚数」に相当。）及びプリントサイズ（本発明の「出力サイズ」に相当。）を操作部７６の操作によって入力した後に、「終了」ボタンを操作部７６の操作によって指定する。これによって、ＣＰＵ７２には、ユーザによって入力されたプリント枚数を示す出力枚数情報及びプリントサイズを示す出力サイズ情報が入力され、上記ステップ４１０が肯定判定されてステップ４１２に移行する。
【０１３３】
ステップ４１２では、この時点で外部モニタ７９に表示されているフレーム、すなわちユーザによってプリント出力することが指定されたフレームのフレーム番号（本発明の「特定情報」に相当。）と、ユーザによって入力された出力枚数情報及び出力サイズ情報とに基づいて、処理対象とする動画像ファイル１４の付帯データ１４Ｂにおける「フレームプリント」の情報（本発明の「プリント指示情報」に相当。）を記録し、次のステップ４１４で動画像の再生を再開した後、上記ステップ４０２に戻る。
【０１３４】
上記ステップ４１２の処理により、ユーザによりプリント出力するものとして指定されたフレームを特定できるフレーム番号の含まれた「フレームプリント」の情報を映像データ１４Ａに関連付けてメモリカード６３に記録することができると共に、出力サイズ情報及び出力枚数情報を上記フレーム番号に関連付けた状態で「フレームプリント」の情報に含めてメモリカード６３に記録することができる。
【０１３５】
一方、上記ステップ４０６において否定判定された場合はステップ４１６に移行し、動画像の再生が最終フレームまで終了したか否かを判定し、否定判定の場合は上記ステップ４０２に戻り、肯定判定となった時点で本フレームプリント設定処理プログラムを終了する。
【０１３６】
本フレームプリント設定処理プログラムのステップ４００及びステップ４１４の処理が本発明の再生手段に、ステップ４０２の処理が本発明の再生速度指示入力手段に、ステップ４０４の処理が本発明の再生速度変更手段に、ステップ４０６及びステップ４１０の処理が本発明の編集情報入力手段に、ステップ４１２の処理が本発明の編集手段に、各々相当する。
【０１３７】
一方、フレームプリント編集処理プログラム（図１０参照）のステップ３０６において否定判定された場合はステップ３１０に移行し、ユーザによって指定された編集項目が「新規設定」であったか否かを判定する。この結果、肯定判定の場合はステップ３１２に移行して、ユーザによって予め指定された動画像ファイル１４の付帯データ１４Ｂにおける「フレームプリント」の情報を消去した後にステップ３０８に移行し、前述のフレームプリント設定処理プログラム（図１２も参照）を実行した後に本フレームプリント編集処理プログラムを終了する。
【０１３８】
また、上記ステップ３１０において否定判定された場合はステップ３１４に移行し、ユーザによって指定された編集項目が「設定更新」であったか否かを判定する。この結果、肯定判定の場合はステップ３１６に移行し、所定の設定更新画面を外部モニタ７９に表示した後に、ステップ３１８で所定情報の入力待ちを行なう。
【０１３９】
図１１（Ｂ）には、上記ステップ３１６の処理により、外部モニタ７９に表示された設定更新画面が示されている。同図に示されるように、本実施の形態に係る設定更新画面では、処理対象とする動画像ファイル１４の付帯データ１４Ｂの「フレームプリント」としてプリント出力が既に設定されている複数のフレームのサムネール（Ｔｈｕｍｂｎａｉｌ）が表示される。また、各サムネールの下部には、当該サムネールにより示されるフレームのプリント枚数及びプリントサイズの設定内容が表示され、当該設定更新画面の最下には「終了」ボタンが表示されている。なお、同図では、この時点でプリント出力が設定されているフレーム数が４枚である場合について示している。
【０１４０】
同図に示すような設定更新画面が外部モニタ７９に表示されると、ユーザは、設定内容を更新したいフレームのプリント枚数及びプリントサイズの少なくとも一方を操作部７６の操作によって更新した後、「終了」ボタンを操作部７６の操作によって指定する。なお、このとき、プリント出力の実施を取り止めたいフレームがある場合には、当該フレームに対応するプリント枚数として‘０’を設定する。
【０１４１】
ユーザにより「終了」ボタンが指定されると上記ステップ３１８が肯定判定となってステップ３２０に移行し、ユーザによる更新内容を処理対象とする動画像ファイル１４の付帯データ１４Ｂにおける「フレームプリント」に反映させ、その後に本フレームプリント編集処理プログラムを終了する。
【０１４２】
一方、上記ステップ３１４において否定判定された場合はステップ３２２に移行し、ユーザによって指定された編集項目が「設定消去」であったか否かを判定する。この結果、肯定判定の場合はステップ３２４に移行して、ユーザによって予め指定された動画像ファイル１４の付帯データ１４Ｂにおける「フレームプリント」の情報を消去した後に本フレームプリント編集処理プログラムを終了する。なお、上記ステップ３２２において否定判定された場合には、上記ステップ３２４の処理を実行することなく本フレームプリント編集処理プログラムを終了する。
【０１４３】
ところで、撮像装置１２によって記録され、必要に応じて再生装置１６を用いて編集された動画像ファイル１４はメモリカード６３を介して当該ユーザが所有する端末装置９４に入力される。そして、端末装置９４は、インターネット４８を介して当該動画像ファイル１４を最寄りのラボ店に設けられた端末装置９２に送信する。これにより、当該ラボ店に対するプリント出力の依頼がなされる。
【０１４４】
次に、図１４を参照して、各ラボ店に設置されている端末装置９２において実行されるプリント出力受注処理について説明する。なお、図１４は、端末装置９２において常時実行されるプリント出力受注処理プログラムの処理の流れを示すフローチャートであり、該プログラムは端末装置９２のＲＯＭ９６に予め記憶されている。
【０１４５】
同図のステップ５００では、動画像ファイル１４の受信待ちを行なうことによってプリント出力の受注待ちを行ない、次のステップ５０２では、外部インタフェース９９を介して接続されたプリンタ２６の作動終了待ちを行なう。
【０１４６】
ここで、プリンタ２６が作動していない場合や作動が終了した場合にはステップ５０４に移行し、プリンタ２６に対して上記ステップ５００で受信した動画像ファイル１４を送信した後、次のステップ５０６で当該プリンタ２６からの所定情報の受信待ちを行なう。
【０１４７】
動画像ファイル１４を受信したプリンタ２６は、後述するプリント処理によって当該動画像ファイル１４を用いたプリントを作成した後、当該プリントの作成が終了した旨を示す情報（以下、「プリント終了情報」という。）を端末装置９２に対して送信する。これによって上記ステップ５０６が肯定判定となってステップ５０８に移行する。
【０１４８】
ステップ５０８では、依頼元の端末装置９４に対してプリンタ２６によるプリント出力に対する対価を要求する旨のメールを送信し、その後に本プリント出力受注処理プログラムを終了する。
【０１４９】
本プリント出力受注処理プログラムのステップ５００の処理が本発明の受注手段に、ステップ５０８の処理が本発明の要求手段に、各々相当する。
【０１５０】
次に、図１５を参照して、プリンタ２６において実行されるプリント処理について説明する。なお、図１５は、外部インタフェース８３を介して接続された端末装置９２から動画像ファイル１４を受信したときにプリンタ２６のＣＰＵ８０で実行されるプリント処理プログラムの処理の流れを示すフローチャートであり、該プログラムはＲＯＭ８１に予め記憶されている。なお、ここでは、プリント４６を作成する場合について説明する。
【０１５１】
同図のステップ６００では、端末装置９２から受信した動画像ファイル１４から付帯データ１４Ｂを読出し、次のステップ６０２では、読出した付帯データ１４Ｂにおける「フレームプリント」の情報により示されるプリント出力すべきフレームに対応する映像データを１フレーム分だけ動画像ファイル１４から読出す。なお、ここで読出した映像データに対応するフレームを、以下では「処理対象フレーム」という。
【０１５２】
次のステップ６０４では、読出した処理対象フレームの映像データを用いたプリント４６を上記「フレームプリント」の情報により示される、当該処理対象フレームに対応するプリントサイズで作成するようにプリント部８６を制御し、次のステップ６０６では、プリント４６の作成が上記「フレームプリント」の情報により示される、処理対象フレームに対応するプリント枚数だけ終了したか否かを判定し、否定判定の場合は上記ステップ６０４に戻り、肯定判定となった時点でステップ６０８に移行する。
【０１５３】
ステップ６０８では、プリント４６の作成が上記「フレームプリント」の情報により示されるプリント出力すべき全てのフレームについて終了したか否かを判定し、否定判定の場合は上記ステップ６０２に戻り、肯定判定となった時点でステップ６１０に移行する。なお、上記ステップ６０２〜ステップ６０８の処理を繰り返して実行する際には、それまでに処理対象としなかったフレームを処理対象フレームとする。
【０１５４】
以上の処理により、上記ステップ６００にて受信した動画像ファイル１４の付帯データ１４Ｂにおける「フレームプリント」によって指定されたプリント出力を行なうべき全てのフレームの、指定されたサイズでの指定された枚数分のプリントが作成される。
【０１５５】
ステップ６１０では、接続された端末装置９２に対して、前述のプリント終了情報を送信し、その後に本プリント処理プログラムを終了する。
【０１５６】
以上詳細に説明したように、本実施の形態に係る撮像装置は、画像データ（本実施の形態では、映像データ１４Ａ）により示される動画像を構成する複数の静止画像におけるプリント出力を行う静止画像を指定するための指定情報（本実施の形態では、レリーズボタン６７の全押し操作を示す情報）を入力し、当該指定情報により指定された静止画像を特定できる特定情報（本実施の形態では、フレーム番号）の含まれたプリント指示情報（本実施の形態では、付帯データ１４Ｂにおける「フレームプリント」の情報）を上記画像データに関連付けて記録媒体（本実施の形態では、メモリカード６３）に記録しているので、動画像を示す画像データによるプリント出力の指示を正確かつ容易に行なうことができる。
【０１５７】
また、本実施の形態に係る撮像装置は、画像データにより示される動画像を表示するための表示手段（本実施の形態では、ＬＣＤ５８）を備えているので、表示手段に当該動画像を表示した状態でプリント出力を行う静止画像を指定することができ、より正確かつ容易に動画像を示す画像データによるプリント出力の指示を行なうことができる。
【０１５８】
また、本実施の形態に係る撮像装置は、動画像の表示速度の変更を指示するための変更指示情報（本実施の形態では、十字カーソルボタン７０の左矢印キー及び右矢印キーの操作を示す情報）を入力し、当該変更指示情報に応じて動画像の表示速度を変更しているので、表示速度を遅くした場合には、プリント出力したい静止画像を、それまでより容易に選別でき、表示速度を速くした場合には、プリント出力したい静止画像の指定を、それまでより短時間で行うことができる。
【０１５９】
更に、本実施の形態に係る撮像装置は、プリント出力を行う静止画像の出力サイズを示す出力サイズ情報及び出力枚数を示す出力枚数情報の双方を入力し、対応する静止画像を特定できる特定情報に関連付けた状態でプリント指示情報に含めて記録媒体に記録しているので、入力した出力サイズ情報及び出力枚数情報の双方に応じたプリント出力を実現することができる。
【０１６０】
一方、本実施の形態に係る再生装置は、動画像を示す画像データ、及び当該画像データにより示される動画像を構成する複数の静止画像におけるプリント出力を行う静止画像を特定できる特定情報が含まれたプリント指示情報を入力し、上記画像データにより示される動画像を再生すると共に、入力されたプリント指示情報を編集するための編集情報（本実施の形態では、操作部７６のプレイキーの操作を示す情報、及び操作部７６の操作によって入力されるプリント枚数及びプリントサイズを示す情報）を入力し、当該編集情報に応じて上記プリント指示情報を編集しているので、動画像を示す画像データによるプリント出力の指示を正確かつ容易に行なうことができると共に、的確にプリント指示情報の編集を行うことができる。
【０１６１】
また、本実施の形態に係る再生装置は、上記プリント指示情報の編集として、前記プリント指示情報への新規情報の追加、前記プリント指示情報の新規情報への置換え、前記プリント指示情報の記録内容の更新、及び前記プリント指示情報の消去を適用しているので、これらの編集を的確に行うことができる。
【０１６２】
また、本実施の形態に係る再生装置は、画像データにより示される動画像を動画再生するか、又は当該動画像を構成する複数の静止画像を個別に再生しているので、動画再生する場合は、当該動画像の流れを参照しながらの編集作業を行うことができ、静止画像を個別に表示する場合は、編集対象とする静止画像を確認しながらの編集作業を行うことができる。
【０１６３】
また、本実施の形態に係る再生装置は、動画像を動画再生する場合に当該動画再生の再生速度の変更を指示するための再生速度変更指示情報（本実施の形態では、操作部７６の左矢印キー及び右矢印キーの操作を示す情報）を入力し、当該再生速度変更指示情報に応じて上記動画再生の再生速度を変更しているので、再生速度を遅くした場合には、プリント指示情報の編集を、それまでより的確に行うことができ、再生速度を速くした場合には、プリント指示情報の編集を、それまでより短時間で行うことができる。
【０１６４】
更に、本実施の形態に係る再生装置は、プリント指示情報に、特定情報により特定される静止画像の出力サイズ情報及び出力枚数情報を含めたので、これらの情報に応じたプリント出力を実現することができる。
【０１６５】
一方、本実施の形態に係るプリンタは、動画像を示す画像データ、及び当該画像データにより示される動画像を構成する複数の静止画像におけるプリント出力を行う静止画像を特定できる特定情報が含まれたプリント指示情報を入力し、上記画像データにより示される動画像を構成する静止画像をプリント出力するためのプリント出力手段（本実施の形態では、プリント部８６）を、入力されたプリント指示情報に含まれる特定情報によって特定される静止画像をプリント出力するように制御しているので、動画像を示す画像データによるプリント出力の指示を正確かつ容易に行なうことができる。
【０１６６】
また、本実施の形態に係るプリンタは、上記プリント指示情報に、上記特定情報により特定される静止画像の出力サイズ情報及び出力枚数情報を更に含め、かつプリント指示情報に含まれる特定情報によって特定される静止画像を、当該特定情報に対応する出力サイズ情報及び出力枚数情報に応じてプリント出力するように制御しているので、出力サイズ情報及び出力枚数情報に応じたプリント出力を実現することができる。
【０１６７】
一方、本実施の形態に係るプリントシステムは、以上のようなプリンタを備えているので、当該プリンタと同様に、動画像を示す画像データによるプリント出力の指示を正確かつ容易に行なうことができると共に、当該プリンタによるプリント出力の依頼を受注し、かつ受注したプリント出力の依頼に応じた上記プリンタによるプリント出力に対する対価を当該プリント出力の依頼元に要求しているので、人手を介することなく簡易にプリント出力に対する対価を得ることができる。
【０１６８】
なお、本実施の形態では、本発明の撮像装置をデジタル・スチル・カメラに適用した場合について説明したが、本発明はこれに限定されるものではなく、例えば、デジタル・ビデオ・カメラ等、動画像を撮影可能な他の装置に適用することもできる。この場合も、本実施の形態と同様の効果を奏することができる。
【０１６９】
また、本実施の形態では、インターネットを介して動画像のプリント出力を依頼すると共に、当該依頼に対する対価をインターネットを介して要求する場合について説明したが、本発明はこれに限定されるものではなく、例えば、撮像装置１２により作成され、必要に応じて再生装置１６によって編集を行なった動画像ファイル１４が記録されたメモリカード６３をユーザがラボ店に直接持参して動画像のプリント出力を依頼する形態や、当該依頼に応じて作成されたプリントをユーザがラボ店から受け取る際に、当該依頼に対する対価をユーザに対して直接要求する形態とすることもできる。
【０１７０】
また、本実施の形態では、本発明の出力サイズ情報及び出力枚数情報の双方を取り扱う場合について説明したが、本発明はこれに限定されるものではなく、これらの情報の何れか一方のみを取り扱う形態とすることもできる。この場合は、取り扱う情報のみに応じたプリント出力を行なうことになる。
【０１７１】
また、本実施の形態では、再生装置により実行できる編集として、「設定追加」、「新規設定」、「設定更新」、及び「設定消去」の４種類の編集を適用した場合について説明したが、本発明はこれに限定されるものではなく、これらの編集の何れか１種類のみや、３種類までの複数の組み合わせを適用する形態とすることもできる。この場合は、適用した編集のみが実行可能となる。
【０１７２】
また、本実施の形態で説明した各種処理プログラム（図８、図１０、図１２、図１４、及び図１５参照）の処理の流れは一例であり、本発明の主旨を逸脱しない範囲内において適宜変更可能であることは言うまでもない。
【０１７３】
更に、本実施の形態で説明した撮像装置１２、再生装置１６、端末装置９２、及びプリンタ２６（図３〜図７参照）の構成も一例であり、本発明の主旨を逸脱しない範囲内において適宜変更可能であることは言うまでもない。
【０１７４】
【発明の効果】
以上詳細に説明したように、本発明に係る撮像装置によれば、画像データにより示される動画像を構成する複数の静止画像におけるプリント出力を行う静止画像を指定するための指定情報を入力し、当該指定情報により指定された静止画像を特定できる特定情報の含まれたプリント指示情報を上記画像データに関連付けて記録媒体に記録しているので、動画像を示す画像データによるプリント出力の指示を正確かつ容易に行なうことができる、という効果が得られる。
【０１７５】
また、本発明に係る再生装置によれば、動画像を示す画像データ、及び当該画像データにより示される動画像を構成する複数の静止画像におけるプリント出力を行う静止画像を特定できる特定情報が含まれたプリント指示情報を入力し、上記画像データにより示される動画像を再生し、入力されたプリント指示情報を編集するための編集情報を入力し、当該編集情報に応じて上記プリント指示情報を編集しているので、動画像を示す画像データによるプリント出力の指示を正確かつ容易に行なうことができると共に、的確にプリント指示情報の編集を行うことができる、という効果が得られる。
【０１７６】
また、本発明に係るプリンタによれば、動画像を示す画像データ、及び当該画像データにより示される動画像を構成する複数の静止画像におけるプリント出力を行う静止画像を特定できる特定情報が含まれたプリント指示情報を入力し、上記画像データにより示される動画像を構成する静止画像をプリント出力するためのプリント出力手段を、入力されたプリント指示情報に含まれる特定情報によって特定される静止画像をプリント出力するように制御しているので、動画像を示す画像データによるプリント出力の指示を正確かつ容易に行なうことができる、という効果が得られる。
【０１７７】
更に、本発明に係るプリントシステムによれば、本発明のプリンタを備えているので、本発明のプリンタと同様に、動画像を示す画像データによるプリント出力の指示を正確かつ容易に行なうことができると共に、当該プリンタによるプリント出力の依頼を受注し、かつ受注したプリント出力の依頼に応じた上記プリンタによるプリント出力に対する対価を当該プリント出力の依頼元に要求しているので、人手を介することなく簡易にプリント出力に対する対価を得ることができる、という効果が得られる。
【図面の簡単な説明】
【図１】実施の形態に係る映像サービスシステム１０の概略機能構成を示すブロック図である。
【図２】実施の形態に係る映像サービスシステム１０を実現するために一例として適用されるコンピュータ・ネットワークの構成を示すブロック図である。
【図３】実施の形態に係る撮像装置１２の外観上の構成を示す外観図である。
【図４】実施の形態に係る撮像装置１２の電気系の構成を示すブロック図である。
【図５】実施の形態に係る再生装置１６の構成を示すブロック図である。
【図６】実施の形態に係る端末装置９２の構成を示すブロック図である。
【図７】実施の形態に係るプリンタ２６の構成を示すブロック図である。
【図８】実施の形態に係る撮像装置１２で実行されるフレームプリント設定処理プログラムの処理の流れを示すフローチャートである。
【図９】図８に示すフレームプリント設定処理プログラムの実行中におけるＬＣＤ５８の表示状態例を示す概略図である。
【図１０】実施の形態に係る再生装置１６で実行されるフレームプリント編集処理プログラムの処理の流れを示すフローチャートである。
【図１１】図１０に示すフレームプリント編集処理プログラムの実行中における外部モニタ７９の表示状態例を示す概略図である。
【図１２】実施の形態に係る再生装置１６で実行されるフレームプリント設定処理プログラムの処理の流れを示すフローチャートである。
【図１３】図１２に示すフレームプリント設定処理プログラムの実行中における外部モニタ７９の表示状態例を示す概略図である。
【図１４】実施の形態に係る端末装置９２で実行されるプリント出力受注処理プログラムの処理の流れを示すフローチャートである。
【図１５】実施の形態に係るプリンタ２６で実行されるプリント処理プログラムの処理の流れを示すフローチャートである。
【符号の説明】
１０　　映像サービスシステム
１２　　撮像装置
１６　　再生装置
２６　　プリンタ
５１　　ＣＣＤ（撮像手段）
５８　　ＬＣＤ（表示手段）
５９　　ＣＰＵ（画像データ記録手段）
６３　　メモリカード（記録媒体）
７５　　外部メモリインタフェース（入力手段）
８０　　ＣＰＵ（プリント制御手段）
８３　　外部インタフェース（情報入力手段）
８６　　プリント部（プリント出力手段）
９２　　端末装置
【図１】
2004128679.tif 000004
【図２】
2004128679.tif 000005
【図３】
2004128679.tif 000006
【図４】
2004128679.tif 000007
【図５】
2004128679.tif 000008
【図６】
2004128679.tif 000009
【図７】
2004128679.tif 000010
【図８】
2004128679.tif 000011
【図９】
2004128679.tif 000012
【図１０】
2004128679.tif 000013
【図１１】
2004128679.tif 000014
【図１２】
2004128679.tif 000015
【図１３】
2004128679.tif 000016
【図１４】
2004128679.tif 000017
【図１５】
2004128679.tif 000018